(57)【要約】      （修正有）【課題】粘着ロールを水洗いすることにより、繰り返し使用できる便利な携帯式の転動クリーナーを提供する。【解決手段】粘着ロールＲを回転自在に支持するほぼ半円筒形のクリーナー本体Ｃと、その長手方向の一端部へ粘着ロールＲの回転軸線ｙ−ｙとほぼ直交する軸線ｘ−ｘ廻りでの起伏的な開閉操作自在に枢着されたカバーグリップＧとを備え、上記粘着ロールＲの芯筒に繰り返し使用可能な粘着性がある熱可塑性ゴム又はシリコンオイルの含浸された透明なシリコンゴムから成る柔軟皮膜１１を、被着一体化させてある。【選択図】図３
0003182652.tif 000002
【実用新案登録請求の範囲】
【請求項１】
片手で握り持てる大きさのほぼ半円筒形をなし、その長手方向の一端部から左右一対のカバーグリップ用軸受け板と、同じく長手方向の一端部付近と他端部とから前後一対の粘着ロール用軸受け板とが、各々連続一体に垂立されたクリーナー本体と、
上記クリーナー本体と向かい合うほぼ半円筒形をなし、その長手方向の一端部から張り出し延長する左右一対の取付脚板と、同じく長手方向の両端部に上記クリーナー本体の粘着ロール用軸受け板を逃し入れる凹溝とが、各々対応形成されたカバーグリップと、
一定長さの芯筒とこれに被着された繰り返し使用可能な粘着性がある柔軟皮膜並びにその芯筒の両端部に嵌め付けられた前後一対のエンドキャップとから成る粘着ロールとを備え、
その粘着ロールのエンドキャップから外向きに突出する支軸を、上記クリーナー本体の粘着ロール用軸受け板に開口する軸受け孔へ各々抜き差し自在に差し込み装填することにより、その粘着ロールをクリーナー本体の長手中心線に沿う回転自在に枢支させる一方、
上記カバーグリップの取付脚板をクリーナー本体のカバーグリップ用軸受け板へ、１８０度だけ回動できるように枢着して、そのカバーグリップをクリーナー本体へ押し倒し閉合操作することにより、粘着ロールが被覆された折りたたみ状態と、同じくカバーグリップをクリーナー本体から引き起し展開操作することにより、上記粘着ロールが露出する使用状態とを得られるように定めると共に、
上記カバーグリップの折りたたみ状態を仮り止めロックする保持手段と、同じくカバーグリップの展開状態を仮り止めロックする保持手段とを設置したことを特徴とする携帯式の転動クリーナー。
【請求項２】
カバーグリップを展開状態に仮り止めロックする保持手段として、クリーナー本体のカバーグリップ用軸受け板とカバーグリップの取付脚板との何れか一方から他方に向かって張り出す一条のキー凸条と、その他方に対応形成された一条のキー凹溝とを係脱自在に係止させると共に、
カバーグリップにおける取付脚板が張り出す一端部を、クリーナー本体におけるカバーグリップ用軸受け板が垂立する対応的な一端部へ衝当させるように規制したことを特徴とする請求項１記載の携帯式の転動クリーナー。
【請求項３】
カバーグリップを折りたたみ状態に仮り止めロックする保持手段として、クリーナー本体のカバーグリップ用軸受け板とカバーグリップの取付脚板との何れか一方から他方に向かって張り出す一条のキー凸条と、その他方に対応形成された一条のキー凹溝とを係脱自在に係止させると共に、
クリーナー本体の一端部から垂立する粘着ロール用軸受け板と、カバーグリップの対応的な一端部に切り欠かれた粘着ロール用軸受け板の逃し入れ凹溝との何れか一方から他方に向かって突出するロック爪と、その他方に対応形成された爪受け切欠とを係脱自在に係止させることを特徴とする請求項１記載の携帯式の転動クリーナー。
【請求項４】
粘着ロールの柔軟皮膜を粘着性がある熱可塑性ゴム若しくは熱可塑性エラストマー、又は粘着性があるシリコンオイルを含浸若しくは混入させたシリコンゴムから円筒状に成形したことを特徴とする請求項１記載の携帯式の転動クリーナー。
【請求項５】
粘着ロールの芯筒を硬質な着色合成樹脂から成形すると共に、その芯筒に被着される柔軟皮膜を透明又は半透明として、その柔軟皮膜の外部から上記芯筒の着色カラーを透視できるように定めたことを特徴とする請求項１記載の携帯式の転動クリーナー。
【請求項６】
クリーナー本体又は／及びカバーグリップから外方へ愛玩動物やキャラクターにおける顔の造形物である耳や眼となる凸曲片を連続一体に張り出す一方、
同じく顔の造形物である鼻や口、眼、ヒゲなどとなる部分的な凹凸を、上記クリーナー本体又は／及びカバーグリップの表面に賦形すると共に、
その凹凸と上記凸曲片に着色塗装を施したことを特徴とする請求項１記載の携帯式の転動クリーナー。
【請求項７】
クリーナー本体又は／及びカバーグリップから外方へ愛玩動物やキャラクターにおける顔の造形物である耳や眼となる凸曲片を連続一体に張り出すと共に、
同じく愛玩動物やキャラクターの鼻、口、眼、ヒゲ、その他の顔の各種造形物がカラー印刷されたラミネートフィルムを、上記クリーナー本体又は／及びカバーグリップの表面へ被覆状態に貼り付け一体化したことを特徴とする請求項１記載の携帯式の転動クリーナー。
【考案の詳細な説明】
【技術分野】
【０００１】
本考案は衣服や袋物に付着した塵埃、花粉、髪の毛、ペットの獣毛、糸屑などのほか、携帯電話器や携帯ゲーム器、タブレット端末（多機能携帯端末）などのタッチパネル（液晶画面）に付着した皮脂（指紋）をも、粘着ロールの粘着力によって取り除く携帯式の転動クリーナーに関する。
【背景技術】
【０００２】
衣服の汚れとなる塵埃や髪の毛、花粉、ペットの獣毛、糸屑などの各種付着物を、その衣服の表面に沿い転動させる粘着ロールの粘着力によって、便利良く取り除ける携帯式の転動クリーナーが、特許文献１、２に開示されている。
【０００３】
そのうち、特に特許文献１に記載されている「折畳式粘着ローラ型掃除器」の構成では、ロール（１３）の受入れ座（１２）を支持する枢軸回転座（１１）に対して、ほぼ半円筒形の取っ手（１０）が約１８０度だけの起伏的な回動自在に枢着されており、その取っ手（１０）の起し出し展開操作によるロール（１３）の露出状態と、同じく取っ手（１０）の折りたたみ閉合操作によるロール（１３）の被覆状態とを得られるようになっている点で、本考案に最も近似する公知技術であると考えられる。
【先行技術文献】
【特許文献】
【０００４】
【特許文献１】実用新案登録第３０１９８３４号公報
【特許文献２】特許第４９２９２１０号公報
【考案の概要】
【考案が解決しようとする課題】
【０００５】
ところが、上記特許文献１の折畳式粘着ローラ型掃除器に具備されているロール（１３）は、ローラ（１４）に巻き付けられた粘着性清掃用紙のそれであるため、その汚れた部分を切り取り廃棄しなければならず、何時・何処でも使えるようにするための携帯式としては、未だ大変不便である。
【０００６】
しかも、その清掃用紙の汚れた部分を切り取るための切断装置（２０）が組み込まれているため、これを受け持つ受入れ座（１２）が必要であることとも相俟って、部品点数が増加し、量産効果を達成することができない。
【０００７】
また、切断装置（２０）を形作る平行な一対の切断刃（２２）が、上記清掃用紙ロール（１３）の下方から上向きに張り出し露呈しているため、その清掃用紙の引き出し時やスロット（２６）の押圧時、取っ手（１０）の開閉時などに、その操作手の指先を負傷しやすく、安全性と携帯使用上の利便性に劣る。
【０００８】
更に、取っ手（１０）の展開操作によるロール（１３）の露出した使用状態と、その取っ手（１０）の閉合操作によるロール（１３）の被覆された折りたたみ状態との何れにおいても、その状態を安定良く仮り止めロックする手段が設けられていない。
【０００９】
その結果、前者の使用時にはロール（１３）の受入れ座（１２）を支持する枢軸回転座（１１）と、その取っ手（１０）とが不慮に閉合する方向へ回動したり、いたづらにガタツキ遊動したりするおそれがあり、非常に使い難い。他方、後者の折りたたみ時には取っ手（１０）が不慮に展開する方向へ回動して、例えばバッグへ掃除器と一緒に収納されている別な携帯物が、その掃除器の露出したロール（１３）に付着してしまうおそれがある。
【００１０】
尚、上記特許文献２の携帯クリーナーについて念のため言及すると、これの粘着ロールも片面粘着テープを多重に巻回した清掃用粘着テープロール（Ｔ）であり、その汚れた部分を剥がして取って廃棄しなければならない。クリーナー本体（２）とそのグリップ（５）のほかに、これらと別個独立する収納ケース（３）が必須不可欠であり、その収納ケース（３）を紛失するおそれもある。
【課題を解決するための手段】
【００１１】
本考案はこのような課題の改良を目的としており、その目的を達成するために、請求項１では片手で握り持てる大きさのほぼ半円筒形をなし、その長手方向の一端部から左右一対のカバーグリップ用軸受け板と、同じく長手方向の一端部付近と他端部とから前後一対の粘着ロール用軸受け板とが、各々連続一体に垂立されたクリーナー本体と、
【００１２】
上記クリーナー本体と向かい合うほぼ半円筒形をなし、その長手方向の一端部から張り出し延長する左右一対の取付脚板と、同じく長手方向の両端部に上記クリーナー本体の粘着ロール用軸受け板を逃し入れる凹溝とが、各々対応形成されたカバーグリップと、
【００１３】
一定長さの芯筒とこれに被着された繰り返し使用可能な粘着性がある柔軟皮膜並びにその芯筒の両端部に嵌め付けられた前後一対のエンドキャップとから成る粘着ロールとを備え、
【００１４】
その粘着ロールのエンドキャップから外向きに突出する支軸を、上記クリーナー本体の粘着ロール用軸受け板に開口する軸受け孔へ各々抜き差し自在に差し込み装填することにより、その粘着ロールをクリーナー本体の長手中心線に沿う回転自在に枢支させる一方、
【００１５】
上記カバーグリップの取付脚板をクリーナー本体のカバーグリップ用軸受け板へ、１８０度だけ回動できるように枢着して、そのカバーグリップをクリーナー本体へ押し倒し閉合操作することにより、粘着ロールが被覆された折りたたみ状態と、同じくカバーグリップをクリーナー本体から引き起し展開操作することにより、上記粘着ロールが露出する使用状態とを得られるように定めると共に、
【００１６】
上記カバーグリップの折りたたみ状態を仮り止めロックする保持手段と、同じくカバーグリップの展開状態を仮り止めロックする保持手段とを設置したことを特徴とする。
【００１７】
又、請求項２ではカバーグリップを展開状態に仮り止めロックする保持手段として、クリーナー本体のカバーグリップ用軸受け板とカバーグリップの取付脚板との何れか一方から他方に向かって張り出す一条のキー凸条と、その他方に対応形成された一条のキー凹溝とを係脱自在に係止させると共に、
【００１８】
カバーグリップにおける取付脚板が張り出す一端部を、クリーナー本体におけるカバーグリップ用軸受け板が垂立する対応的な一端部へ衝当させるように規制したことを特徴とする。
【００１９】
請求項３ではカバーグリップを折りたたみ状態に仮り止めロックする保持手段として、クリーナー本体のカバーグリップ用軸受け板とカバーグリップの取付脚板との何れか一方から他方に向かって張り出す一条のキー凸条と、その他方に対応形成された一条のキー凹溝とを係脱自在に係止させると共に、
【００２０】
クリーナー本体の一端部から垂立する粘着ロール用軸受け板と、カバーグリップの対応的な一端部に切り欠かれた粘着ロール用軸受け板の逃し入れ凹溝との何れか一方から他方に向かって突出するロック爪と、その他方に対応形成された爪受け切欠とを係脱自在に係止させることを特徴とする。
【００２１】
請求項４では粘着ロールの柔軟皮膜を、粘着性がある熱可塑性ゴム若しくは熱可塑性エラストマー、又は粘着性があるシリコンオイルを含浸若しくは混入させたシリコンゴムから円筒状に成形したことを特徴とする。
【００２２】
請求項５では粘着ロールの芯筒を硬質な着色合成樹脂から成形すると共に、その芯筒に被着される柔軟皮膜を透明又は半透明として、その柔軟皮膜の外部から上記芯筒の着色カラーを透視できるように定めたことを特徴とする。
【００２３】
請求項６ではクリーナー本体又は／及びカバーグリップから外方へ、愛玩動物やキャラクターにおける顔の造形物である耳や眼となる凸曲片を連続一体に張り出す一方、
【００２４】
同じく顔の造形物である鼻や口、眼、ヒゲなどとなる部分的な凹凸を、上記クリーナー本体又は／及びカバーグリップの表面に賦形すると共に、
【００２５】
その凹凸と上記凸曲片に着色塗装を施したことを特徴とする。
【００２６】
更に、請求項７ではクリーナー本体又は／及びカバーグリップから外方へ、愛玩動物やキャラクターにおける顔の造形物である耳や眼となる凸曲片を連続一体に張り出すと共に、
【００２７】
同じく愛玩動物やキャラクターの鼻、口、眼、ヒゲ、その他の顔の各種造形物がカラー印刷されたラミネートフィルムを、上記クリーナー本体又は／及びカバーグリップの表面へ被覆状態に貼り付け一体化したことを特徴とする。
【考案の効果】
【００２８】
請求項１の上記構成によれば、粘着ロールの芯筒に被着された柔軟皮膜が、繰り返し使用できる粘着性を有するため、冒頭に述べた特許文献１、２のような清掃使用するたびの１回づつ、その清掃用紙を切り取ったり、テープを剥ぎ取ったりする煩らわしい廃棄作業が不要となり、衣服や袋物の汚れとなっている塵埃、髪の毛、花粉、ペットの獣毛、その他の各種付着物のほか、携帯電話器やタブレット端末のタッチパネル（液晶画面）に付着している皮脂（指紋）なども取り除く清掃作業に反復使用することができ、携帯式の転動クリーナーとして著しく便利である。
【００２９】
しかも、カバーグリップの展開状態を仮り止めロックする保持手段が設けられているため、その１８０度だけ引き起し展開されたカバーグリップを、片手で安定良く握り持ち乍ら、クリーナー本体からの露出状態にある粘着ロールを円滑に転動させることができ、その使用中にカバーグリップがいたづらにガタツキ遊動したり、不慮に閉合する方向へ回動したりするおそれはない。
【００３０】
他方、カバーグリップの折りたた状態を仮り止めロックする保持手段も設置されているため、その転動クリーナーをバッグや袋物などに収納しての携帯中に、カバーグリップがクリーナー本体から展開して、その露出した粘着ロールの表面に、別な収納物が不慮に付着してしまうトラブルも起らない。
【００３１】
その場合、請求項２の構成を採用するならば、カバーグリップの展開状態をキー凸条とキー凹溝との係止作用だけでなく、クリーナー本体に対してカバーグリップが衝当する規制作用でも重畳的に仮り止めロックすることができ、その保持状態の安定性に優れる。
【００３２】
また、請求項３の構成を採用するならば、カバーグリップの折りたたみ状態を同じくキー凸条とキー凹溝との係止作用だけでなく、ロック爪とその爪受け切欠との係止作用でも重畳的に仮り止めロックすることができるため、その保持状態がますます安定する。
【００３３】
請求項４の構成を採用するならば、粘着ロールの粘着力がある柔軟皮膜を水洗いすることにより、これに付着した塵埃や髪の毛、花粉、皮脂などを除去することができ、何回も繰り返し使用し得る効果がある。
【００３４】
請求項５の構成を採用するならば、透明又は半透明の柔軟皮膜を共通品として使用しつつも、これが被着される芯筒の着色カラーを変えることにより、バラエティに富む各種転動クリーナーを提供できる効果がある。
【００３５】
更に、請求項６や請求項７の構成を採用するならば、その転動クリーナーのクリーナー本体又は／及びカバーグリップから表出する愛玩動物やキャラクターの顔により、携帯用としての興趣変化や意匠性に富む商品を得られ効果がある。
【図面の簡単な説明】
【００３６】
【図１】本考案に係る転動クリーナーの基本実施形態を示す分解斜面図である。
【図２】図１の組立状態を示す斜面図である。
【図３】図２の平面図である。
【図４】図２の側面図である。
【図５】図３の５−５線断面図である。
【図６】図４の６−６線断面図である。
【図７】クリーナー本体に対する粘着ロールの抜き差し過程を示す図５に対応する断面図である。
【図８】図５の展開状態からクリーナー本体へカバーグリップを閉合させた折りたたみ状態の断面図である。
【図９】図８の斜面図である。
【図１０】図９の側面図である。
【図１１】図１０の正面図である。
【図１２】図１０の１２−１２線断面図である。
【図１３】衣服の付着物を取り除く転動クリーナーの使用状態図である。
【図１４】タッチパネル（液晶画面）の付着物を取り除く転動クリーナーの使用状態図である。
【図１５】本考案に係る転動クリーナーの変形実施形態を示す斜面図である。
【図１６】図１５の展開状態からクリーナー本体へカバーグリップを閉合させた折りたたみ状態の断面図である。
【図１７】図１５の１７−１７線断面図である。
【図１８】同じく転動クリーナーの別な変形実施形態を示す正面図である。
【図１９】転動クリーナーの更に別な変形実施形態を示す正面図である。
【考案を実施するための形態】
【００３７】
以下、図面に基いて本考案の実施形態を説明すると、図１〜１４はその基本実施形態に係る携帯式の転動クリーナーを示しており、これは粘着ロール（Ｒ）を回転自在に支持するほぼ半円筒形のクリーナー本体（Ｃ）と、そのクリーナー本体（Ｃ）の長手方向における一端部（基端部）へ、上記粘着ロール（Ｒ）の回転軸線（ｙ−ｙ）とほぼ直交する軸線（ｘ−ｘ）廻りでの起伏的な開閉操作自在に枢着されたカバーグリップ（Ｇ）とを備えている。
【００３８】
そして、そのカバーグリップ（Ｇ）を図８〜１２のようにクリーナー本体（Ｃ）へ押し倒し閉合させることにより、上記粘着ロール（Ｒ）を被覆する状態に折りたたんで携帯する一方、同じくカバーグリップ（Ｇ）を図２〜６のようにクリーナー本体（Ｃ）から引き起し展開させて、これを片手で握り持ち乍ら、その露出した粘着ロール（Ｒ）を衣服や袋物などの表面（Ｍ）、携帯電話器やタブレット端末のタッチパネル（Ｔ）などに沿って転動させることにより、これらの汚れとなっている各種付着物を取り除くことができるようになっている。
【００３９】
上記転動クリーナーの主要な構成部材のうち、先ず粘着ロール（Ｒ）について具体的に詳述すると、これはＡＢＳ樹脂やポリプロピレン、その他の硬質な合成樹脂から、図１、２のような一定の長さ（例えば約７５mm）と太さ（例えば約２０mmの直径）に成形された円形の芯筒（１０）と、その外周面に被着された繰り返し使用可能な粘着性がある熱可塑性ゴム（ＴＰＲ）又は熱可塑性エラストマー（ＴＰＥ）の柔軟皮膜（１１）と、同じく芯筒（１０）の開口両端部に嵌め付けられた前後一対のエンドキャップ（１２）（１２）とから成る組立ユニット体である。
【００４０】
そのエンドキャップ（１２）（１２）も上記芯筒（１０）と同じ硬質な合成樹脂から成形されており、その円形中心部からは支軸（１３）（１３）が外向きに突出しているが、何れか一方のエンドキャップ（１２）にはその支軸（１３）を常時外方へ押圧付勢する圧縮バネ（１４）が内蔵されており、粘着ロール（Ｒ）をクリーナー本体（Ｃ）の後述する軸受け板へ抜き差し自在に差し込み装填する時、そのエンドキャップ（１２）の支軸（１３）を図５から図７のように、一旦押し込み沈没させることができるようになっている。
【００４１】
その場合、粘着ロール（Ｒ）の芯筒（１０）を着色合成樹脂から成形して、希望する赤色や黄色、青色などの各種着色カラーを与える一方、これに透明又は半透明の粘着性がある柔軟皮膜（１１）を被着させて、その柔軟皮膜（１１）の外部から上記芯筒（１０）の着色カラーを透視できるように定めることにより、意匠性や興趣変化などの向上を図ることが好ましい。
【００４２】
粘着ロール（Ｒ）の柔軟皮膜（１１）を上記繰り返し使用できる粘着性がある熱可塑性のゴム又はエラストマーに代えて、やはり反復使用可能な粘着性があるシリコンオイルを含浸又は混入させた柔軟な透明のシリコンゴム（コンパウンド）から円筒状に成形・加硫し、これを着色合成樹脂から成る粘着ロール（Ｒ）の芯筒（１０）へ被着させることにより、その芯筒（１０）の着色カラーをやはり柔軟皮膜（１１）の外部から透視できるように定めても良い。
【００４３】
次に、クリーナー本体（Ｃ）は上記粘着ロール（Ｒ）の芯筒（１０）と同じ硬質な合成樹脂から、図１、２のような片手で握り持てる大きさの一定な幅（例えば約３０mm）と長さ（例えば約１１５mm）並びに深さ（例えば約１０mm〜約２０mm）を備えたほぼ半円筒形に作成されており、その長手方向の両端部が前・後壁（１５）（１５）として、左・右側壁（１６）（１６）と連続する平面視の長方形な開口縁部を形作るが、残る底壁（１７）は断面Ｕ字形の深い円弧面のみに限らず、比較的浅いフラット面として造形されることもある。
【００４４】
その場合、クリーナー本体（Ｃ）における左・右側壁（１６）（１６）の一端部（後端部／基端部）はカバーグリップ用回動ガイドエッジ（１８）（１８）として、図１、２、４のような側面視の円弧橇形に切り欠かれている。しかも、その左・右側壁（１６）（１６）における回動ガイドエッジ（１８）（１８）の存在部分（後端部／基端部）と上記後壁（１５）とのコーナー位置からは、左右一対の向かい合うカバーグリップ用軸受け板（１９）（１９）が連続一体に垂立されている。
【００４５】
（２０）（２０）は上記軸受け板（１９）（１９）の中央部に各々開口形成された軸受け孔、（２１）（２１）は同じく軸受け板（１９）（１９）のフラットな外側面に切り欠かれた一条の垂直なキー凹溝であり、カバーグリップ（Ｇ）の後述する取付脚板から対応的に張り出す支軸がその軸受け孔（２０）（２０）へ抜き差し自在に差し込まれると共に、同じく取付４板から対応的に張り出すキー凸条がそのキー凹溝（２１）（２１）へ係脱自在に係止されるようになっている。
【００４６】
また、（２２）は上記クリーナー本体（Ｃ）におけるカバーグリップ用軸受け板（１９）（１９）の存在部分（後端部／基端部）へ片寄った位置を、そのクリーナー本体（Ｃ）の幅方向に沿って横断する仕切り壁であり、上記前・後壁（１５）（１５）と平行している。（２３）（２３）は向かい合う前後一対の粘着ロール用軸受け板であって、上記クリーナー本体（Ｃ）における前壁（１５）と仕切り壁（２２）との中央部から各々連続一体に垂立しており、その中央部に各々開口形成された軸受け孔（２４）（２４）へ、上記粘着ロール（Ｒ）の両エンドキャップ（１２）（１２）から外向きに突出している支軸（１３）（１３）が、抜き差し自在に差し込み装填されるようになっている。その粘着ロール（Ｒ）の転がり回転軸線（ｙ−ｙ）は図３から明白なように、クリーナー本体（Ｃ）の長手中心線に沿って延在する。
【００４７】
更に、カバーグリップ（Ｇ）はクリーナー本体（Ｃ）と同じ硬質な合成樹脂から、上記粘着ロール（Ｒ）を被覆できる大きさの一定な長さ（例えば約９０mm）と幅（例えば約３０mm）並びに深さ（例えば約２０mm）を備えたほぼ半円筒形に作成されており、その長手方向の両端部がクリーナー本体（Ｃ）の前壁（１５）と仕切り壁（２２）に対応位置する前・後壁（２５）（２５）として、左・右側壁（２６）（２６）と連続する平面視の長方形な開口縁部を形作り、上記クリーナー本体（Ｃ）へ閉合された折りたたみ時に、そのクリーナー本体（Ｃ）の開口縁部と合掌することになる。
【００４８】
つまり、カバーグリップ（Ｇ）は図１、２や図１１、１２から明白なように、上記クリーナー本体（Ｃ）と向かい合うほぼ半円筒形であり、その底壁（２７）が左・右側壁（２６）（２６）との連続的な円弧面をなしている。上記クリーナー本体（Ｃ）とそのカバーグリップ（Ｇ）には互いに同じ白色や黒色などの各種着色カラー、又は例えば白色と青色との相違する各種着色カラー（ツートンカラー）を与えることができる。
【００４９】
（２８）（２８）はそのカバーグリップ（Ｇ）の後端部（基端部）から連続一体に張り出し延長された左右一対の向かい合う取付脚板であって、上記クリーナー本体（Ｃ）のカバーグリップ用軸受け板（１９）（１９）と対応する側面視のほぼ円形をなし、その中心部から各々内向きに突出する支軸（２９）（２９）が、クリーナー本体（Ｃ）における軸受け板（１９）（１９）の軸受け孔（２０）（２０）へ抜き差し自在に差し込まれることとなる。そのクリーナー本体（Ｃ）に対して開閉操作されるカバーグリップ（Ｇ）の起伏的な回動軸線（ｘ−ｘ）は、上記粘着ロール（Ｒ）の回転軸線（ｙ−ｙ）と直交する関係として、図３のようにクリーナー本体（Ｃ）やカバーグリップ（Ｇ）の幅方向に沿い延在する。
【００５０】
（３０）（３０）は上記取付脚板（２８）（２８）の内側面から支軸（２９）（２９）よりも短かく張り出された一条の垂直なキー凸条であり、クリーナー本体（Ｃ）に対してカバーグリップ（Ｇ）を閉合操作した折りたたみ時と、同じくカバーグリップ（Ｇ）を展開操作した使用時に、上記クリーナー本体（Ｃ）における軸受け板（１９）（１９）の対応的なキー凹溝（２１）（２１）と係止することによって、そのカバーグリップ（Ｇ）を安定な仮り止めロック状態に保持し、いたづらにガタツキ遊動したり、まして不慮に開閉したりしないようになっている。
【００５１】
尚、図示実施形態との逆に、カバーグリップ（Ｇ）における取付脚板（２８）（２８）のフラットな内側面に上記キー凹溝（２１）（２１）を切り欠く一方、これと係脱自在に係止する上記キー凸条（３０）（３０）を、クリーナー本体（Ｃ）におけるカバーグリップ用軸受け板（１９）（１９）の外周面から張り出してもさしつかえない。
【００５２】
上記カバーグリップ（Ｇ）をクリーナー本体（Ｃ）から引き起し展開操作した使用時には、そのカバーグリップ（Ｇ）の後端部（基端部）が図５のようにクリーナー本体（Ｃ）の後壁（１５）へ衝当して、１８０度を越えて大きく回動しないように規制されてもいる。
【００５３】
また、（３１）（３１）は上記カバーグリップ（Ｇ）における前・後壁（２５）（２５）の中央部に切り欠かれた軸受け板用逃し入れ凹溝であり、クリーナー本体（Ｃ）に対するカバーグリップ（Ｇ）の閉合操作時、そのクリーナー本体（Ｃ）の粘着ロール用軸受け板（２３）（２３）を逃し入れ、互いに嵌合することとなる。
【００５４】
しかも、図１や図９から明白なように、クリーナー本体（Ｃ）の前壁（１５）から垂立している粘着ロール用軸受け板（２３）の根元部付近には、左右一対の爪受け切欠（３２）（３２）がほぼく字形に付与されている一方、カバーグリップ（Ｇ）の対応的な前壁（２５）に切り欠かれている軸受け板用逃し入れ凹溝（３１）の入口部付近からは、上記爪受け切欠（３２）（３２）と係脱自在に係止するロック爪（３３）（３３）の左右一対が突設されており、クリーナー本体（Ｃ）に対してカバーグリップ（Ｇ）を閉合操作した折りたたみ時に、上記ロック爪（３３）（３３）とその爪受け切欠（３２）（３２）とが係止して、その折りたたみ状態の安定な仮り止め効果を得られるようになっている。
【００５５】
その場合、図示実施形態との逆に、上記ロック爪（３３）（３３）をクリーナー本体（Ｃ）側の粘着ロール用軸受け板（２３）から突設し、その爪受け切欠（３２）（３２）をカバーグリップ（Ｇ）側の軸受け板用逃し入れ凹溝（３１）に付与してもさしつかえない。
【００５６】
更に、上記効果を達成できるならば、爪受け切欠（３２）（３２）とロック爪（３３）（３３）とをクリーナー本体（Ｃ）の仕切り壁（２２）から垂立する粘着ロール用軸受け板（２３）と、カバーグリップ（Ｇ）の後壁（２５）に切り欠かれている軸受け板用逃し入れ凹溝（３１）との何れか一方と残る他方へ、各々対応形成しても良い。
【００５７】
上記構成部材から成る転動クリーナーの組立に当っては、クリーナー本体（Ｃ）の一端部（後端部／基端部）から垂立しているカバーグリップ用軸受け板（１９）（１９）の軸受け孔（２０）（２０）へ、カバーグリップ（Ｇ）の対応的な一端部（後端部／基端部）から張り出している取付脚板（２８）（２８）の支軸（２９）（２９）を、図２、３のように横外方から挟み付ける如く抜き差し自在に差し込む。
【００５８】
また、これと相前後して、クリーナー本体（Ｃ）の開口縁部から垂立している粘着ロール用軸受け板（２３）（２３）の軸受け孔（２４）（２４）へ粘着ロール（Ｒ）を図７に示唆する如く、その一方の支軸（１３）が一旦沈没する状態に押し込み乍ら、抜き差し自在に差し込み装填する。その押し込み操作手を放せば、支軸（１３）が図５のように軸受け孔（２４）へ自づと進入することになる。
【００５９】
そうすれば、粘着ロール（Ｒ）がクリーナー本体（Ｃ）の長手中心線を回転軸線（ｙ−ｙ）として、回転できる軸受け状態に保たれると共に、上記カバーグリップ（Ｇ）をクリーナー本体（Ｃ）に対して、その粘着ロール（Ｒ）の回転軸線（ｙ−ｙ）と直交する軸線（ｘ−ｘ）廻りでの起伏的に開閉操作することができることとなる。
【００６０】
そこで、上記転動クリーナーを使用する場合には、そのクリーナー本体（Ｃ）からカバーグリップ（Ｇ）を図２〜６のように引き起し展開させて、粘着ロール（Ｒ）を露出状態に保つと共に、その展開したカバーグリップ（Ｇ）を片手で握り持ち乍ら、粘着ロール（Ｒ）を図１３のように衣服の袖や袋物などの表面（Ｍ）に沿って転がしたり、また図１４のように携帯電話器やタブレット端末のタッチパネル（液晶画面）（Ｔ）に転がしたりして、これらの汚れとなっている塵埃や髪の毛、花粉、皮脂（指紋）、その他の各種付着物を粘着ロール（Ｒ）の粘着力によって取り除くのである。
【００６１】
上記クリーナー本体（Ｃ）から展開されたカバーグリップ（Ｇ）は、その取付脚板（２８）（２８）から内向きに張り出すキー凸条（３０）（３０）と、クリーナー本体（Ｃ）におけるカバーグリップ用軸受け板（１９）（１９）の外側面から陥没する対応的なキー凹溝（２１）（２１）との係止によって、図２〜５のように安定な仮り止めロック状態に保持されているほか、カバーグリップ（Ｇ）の後端部（基端部）がクリーナー本体（Ｃ）の後壁（１５）へ、図５や図１３、１４のように衝当する規制状態にもあるため、そのカバーグリップ（Ｇ）の握り持ち手が上記粘着ロール（Ｒ）の転動使用中、いたづらにガタツキ遊動したり、まして不慮に閉合したりするおそれはなく、便利良く軽快に清掃作業することができる。
【００６２】
そして、上記粘着ロール（Ｒ）は粘着性のある柔軟皮膜（１１）から成り、その表面に転移した上記付着物を水で洗い流すことにより、粘着ロール（Ｒ）を繰り返し使用することができ、特許文献１、２に記載のような清掃使用するたびに用紙の切り取りや、テープの剥ぎ取りなどを行う必要がなく、携帯式の転動クリーナーとして著しく便利である。粘着力が低下したならば、その時に初めて粘着ロール（Ｒ）の新品と交換すれば足りる。
【００６３】
他方、上記転動クリーナーを携帯する場合には、図５から図８〜１２のようにクリーナー本体（Ｃ）へカバーグリップ（Ｇ）を押し倒し閉合操作することにより、粘着ロール（Ｒ）が被覆された小型コンパクトな折りたたみ状態として、バッグや袋物などの内部に収納し、携帯すれば良い。
【００６４】
上記クリーナー本体（Ｃ）に閉合されたカバーグリップ（Ｇ）は、やはりその取付脚板（２８）（２８）から内向きに張り出すキー凸条（３０）（３０）と、クリーナー本体（Ｃ）におけるカバーグリップ用軸受け板（１９）（１９）の外側面から陥没するキー凹溝（２１）（２１）との係止によって、図９〜１１のように安定な仮り止めロック状態に保持されているほか、クリーナー本体（Ｃ）の前壁（１５）から垂立する粘着ロール用軸受け板（２３）と、カバーグリップ（Ｇ）の対応的な前壁（２５）に切り欠かれた軸受け板用逃し入れ凹溝（３１）とが、そのロック爪（３３）と爪受け切欠（３２）との係止によって、言わば重畳的な仮り止めロック状態に保持されているため、転動クリーナーをバックや袋物などに収納しての携帯中、上記カバーグリップ（Ｇ）がクリーナー本体（Ｃ）から不慮に展開して、その露出した粘着ロール（Ｒ）の表面に、別な収納物の付着するおそれがなく、安心して携帯することができる。
【００６５】
次に、図１５〜１９は本考案の各種変形実施形態を示しており、これらの携帯式転動クリーナーではクリーナー本体（Ｃ）をＡＢＳ樹脂やポリプロピレン、その他の硬質な合成樹脂から成形する場合に、図示のような猫、蛙、パンダを初め、図外の犬、豚、熊、その他の各種愛玩動物やキャラクターにおける顔の造形物である耳や眼などになる一対の凸曲片（３４）（３４）を、その左・右側壁（１６）（１６）の何れか一方から外方へ連続的に張り出している。
【００６６】
このような凸曲片（３４）（３４）はクリーナー本体（Ｃ）に閉合されたカバーグリップ（Ｇ）の左・右側壁（２６）から外方へ張り出す関係状態となるため、ここへ片手の指先を当てがうことにより、そのクリーナー本体（Ｃ）からカバーグリップ（Ｇ）を容易に引き起し展開操作することができ、便利である。
【００６７】
更に、その凸曲片（３４）（３４）を含むクリーナー本体（Ｃ）の成形と一挙同時か、又はこれと別個の成形金型（凹凸型）を使用して、上記クリーナー本体（Ｃ）における底壁（１７）の表面（外面）に追加する如く、同じく愛玩動物やキャラクターの顔の造形物である鼻や口、眼、ヒゲなどになる部分的な凹凸（３５）（３５）を賦形している。（３６）は上記片耳となる凸曲片（３４）の周辺部に連続して張り出された装飾片であり、耳飾りのリボンを印象づけている。
【００６８】
そして、このような凸曲片（３４）（３４）や凹凸（３５）（３５）、装飾片（３６）には上記クリーナー本体（Ｃ）と同じ着色カラーか、好ましくは相違する着色カラーを吹き付け塗装することにより、携帯式転動クリーナーとしての興趣変化や意匠性に富む装飾効果を与えている。
【００６９】
他方、カバーグリップ（Ｇ）における底壁（２７）の表面（外面）には、上記クリーナー本体（Ｃ）側に賦形された愛玩動物やキャラクターの望ましくは称呼となる文字や図柄模様、その他の標章（３７）を着色塗装している。
【００７０】
上記部分的な凹凸（３５）（３５）の賦形とこれを着色塗装する方法に代えて、愛玩動物やキャラクターにおける顔の各種造形物や標章（３７）がカラー印刷されたラミネートフィルム（図示省略）を、上記クリーナー本体（Ｃ）又は／及びカバーグリップ（Ｇ）の表面（外面）へ被覆状態に貼り付け一体化しても良い。
【００７１】
尚、上記凸曲片（３４）（３４）や凹凸（３５）（３５）、装飾片（３６）はクリーナー本体（Ｃ）に代えて又は加えて、そのカバーグリップ（Ｇ）の表面（外面）へ同様にして賦形することもあり得る。図１５〜１９の各種変形実施形態におけるその他の構成と組立方法並びに使用方法は、図１〜１４の上記基本実施形態と実質的に同一であるため、その図１５〜１９に図１〜１４との同一符号を記入するにとどめて、その詳細な説明を省略する。
【符号の説明】
【００７２】
（１０）・芯筒
（１１）・柔軟皮膜
（１２）・エンドキャップ
（１３）（２９）・支軸
（１４）・圧縮バネ
（１５）（２５）・前・後壁
（１６）（２６）・左・右側壁
（１７）（２７）・底壁
（１８）・回動ガイドエッジ
（１９）（２３）・軸受け板
（２０）（２４）・軸受け孔
（２１）・キー凹溝
（２２）・仕切り壁
（２８）・取付脚板
（３０）・キー凸条
（３１）・逃し入れ凹溝
（３２）・爪受け切欠
（３３）・ロック爪
（３４）・凸曲片
（３５）・凹凸
（３６）・装飾片
（３７）・標章
（Ｃ）・クリーナー本体
（Ｇ）・カバーグリップ
（Ｍ）・衣服の表面
（Ｒ）・粘着ロール
（Ｔ）・タッチパネル（液晶画面）
（ｘ−ｘ）・回動軸線
（ｙ−ｙ）・回転軸線
【図１】
0003182652.tif 000003
【図２】
0003182652.tif 000004
【図３】
0003182652.tif 000005
【図４】
0003182652.tif 000006
【図５】
0003182652.tif 000007
【図６】
0003182652.tif 000008
【図７】
0003182652.tif 000009
【図８】
0003182652.tif 000010
【図９】
0003182652.tif 000011
【図１０】
0003182652.tif 000012
【図１１】
0003182652.tif 000013
【図１２】
0003182652.tif 000014
【図１３】
0003182652.tif 000015
【図１４】
0003182652.tif 000016
【図１５】
0003182652.tif 000017
【図１６】
0003182652.tif 000018
【図１７】
0003182652.tif 000019
【図１８】
0003182652.tif 000020
【図１９】
0003182652.tif 000021